(57)【要約】【課題】本発明は、タッチスクリーンディスプレイ装置及びその駆動方法を提供する。【解決手段】前記タッチスクリーンディスプレイ装置及びその駆動方法は、外光及び内光の条件が適切でない場合にも、光センサーを利用してタッチ位置を効果的に認識することができる。これにより、タッチ感知部を別途に備えてタッチ感知部によってオブジェクトのタッチが感知された場合、発光素子を強制的に発光させてタッチ位置を導出することができる。【選択図】図１
2010097618.tif 000002
【特許請求の範囲】
【請求項１】
画像を具現する発光素子とタッチしたオブジェクトの画像を撮像する光センサーとを備えるパネルと、
前記パネル上に配され、前記オブジェクトのタッチを感知するタッチ感知部と、
前記タッチ感知部によって前記オブジェクトのタッチが感知された場合、前記発光素子を発光するように制御する発光制御部と、を備えることを特徴とするタッチスクリーンディスプレイ装置。
【請求項２】
前記発光制御部は、
前記タッチ感知部から提供されたタッチ感知信号を測定するタッチ測定部と、
前記感知信号と既定の基準とを比較してタッチしたか否かを判断するタッチ判断部と、
前記タッチ判断部の判断結果、前記オブジェクトがタッチされたならば、発光信号を生成する発光信号生成部と、を備えることを特徴とする請求項１に記載のタッチスクリーンディスプレイ装置。
【請求項３】
前記オブジェクトの画像からタッチ位置を導出する位置導出部をさらに備えることを特徴とする請求項１に記載のタッチスクリーンディスプレイ装置。
【請求項４】
前記タッチ感知部及び前記発光制御部の動作を制御するフラッシュモード制御部をさらに備えることを特徴とする請求項１に記載のタッチスクリーンディスプレイ装置。
【請求項５】
外部照度を感知する照度感知部と、
前記外部照度と既定の基準を比較判断する照度判断部と、をさらに備えることを特徴とする請求項４に記載のタッチスクリーンディスプレイ装置。
【請求項６】
前記照度判断部の判断結果、外部照度が低い場合、
前記フラッシュモード制御部は、前記位置導出部から前記タッチ位置が導出されない場合、前記タッチ感知部と前記発光制御部とを動作させることを特徴とする請求項５に記載のタッチスクリーンディスプレイ装置。
【請求項７】
現在前記パネルでディスプレイしている画像の輝度を導出する輝度導出部と、
前記画像の輝度と既定の基準とを比較判断する輝度判断部と、をさらに備えることを特徴とする請求項５に記載のタッチスクリーンディスプレイ装置。
【請求項８】
前記輝度判断部の判断結果、前記画像の輝度が前記基準より低い場合、
前記フラッシュモード制御部は、前記位置導出部から前記タッチ位置が導出されない場合、前記タッチ感知部と前記発光制御部とを動作させることを特徴とする請求項７に記載のタッチスクリーンディスプレイ装置。
【請求項９】
前記光センサーから外部照度を導出する照度導出部と、
前記照度導出部から提供した外部照度と既定の基準とを比較判断する照度判断部と、をさらに備えることを特徴とする請求項４に記載のタッチスクリーンディスプレイ装置。
【請求項１０】
前記照度判断部の判断結果、前記外部照度が前記基準より低い場合、
前記フラッシュモード制御部は、前記位置導出部から前記タッチ位置が導出されない場合、前記タッチ感知部と前記発光制御部とを動作させることを特徴とする請求項９に記載のタッチスクリーンディスプレイ装置。
【請求項１１】
現在前記パネルでディスプレイしている画像の輝度を導出する輝度導出部と、
前記画像の輝度と既定の基準とを比較判断する輝度判断部と、をさらに備え、
前記輝度判断部の判断結果、前記輝度が前記基準より低い場合、フラッシュモード制御部を動作させることを特徴とする請求項１０に記載のタッチスクリーンディスプレイ装置。
【請求項１２】
前記オブジェクトの画像からタッチ位置を導出する位置導出部をさらに備え、
前記位置導出部から前記タッチ位置が導出されない場合、前記フラッシュモード制御部は、前記タッチ感知部と前記発光制御部とを動作させることを特徴とする請求項４に記載のタッチスクリーンディスプレイ装置。
【請求項１３】
前記位置導出部は、前記タッチ画像を獲得するイメージ獲得部と、前記タッチ画像を分析してタッチ位置を計算する位置計算部とをさらに備え、
前記位置導出部から前記タッチ位置が導出されないことは、前記イメージ獲得部で前記タッチ画像を獲得できない、または前記位置計算部で前記タッチ位置を計算して導出されない場合であることを特徴とする請求項１２に記載のタッチスクリーンディスプレイ装置。
【請求項１４】
画像を具現する発光素子とタッチしたオブジェクトの画像を撮像する光センサーとを備えるタッチスクリーンディスプレイ装置の駆動方法において、
前記オブジェクトのタッチを感知して感知信号を生成するステップと、
前記感知信号に対応する発光信号を生成するステップと、
前記発光信号によって前記発光素子を発光させるステップと、を含むタッチスクリーンディスプレイ装置の駆動方法。
【請求項１５】
前記感知信号量を既定の基準と比較判断するステップをさらに含み、
前記感知信号量が前記基準より多い場合、発光信号を生成することを特徴とする請求項１４に記載のタッチスクリーンディスプレイ装置の駆動方法。
【請求項１６】
前記発光素子の発光によって前記タッチオブジェクトの画像を獲得するステップと、
前記タッチオブジェクトの画像から前記タッチ位置を導出するステップと、をさらに含むことを特徴とする請求項１４に記載のタッチスクリーンディスプレイ装置の駆動方法。
【請求項１７】
外部照度を感知するステップと、
前記外部照度と既定の基準とを比較判断するステップと、をさらに含み、
前記外部照度が前記基準より低い場合、前記感知信号及び発光信号を生成することを特徴とする請求項１４に記載のタッチスクリーンディスプレイ装置の駆動方法。
【請求項１８】
前記パネルでディスプレイしている画像の輝度を導出するステップと、
前記輝度と既定の基準とを比較判断するステップと、をさらに含み、
前記輝度が前記基準より低い場合、前記感知信号及び発光信号を生成することを特徴とする請求項１７に記載のタッチスクリーンディスプレイ装置の駆動方法。
【請求項１９】
前記外部照度は、前記光センサーから測定したことを特徴とする請求項１７に記載のタッチスクリーンディスプレイ装置の駆動方法。
【請求項２０】
前記位置導出部で前記タッチ位置を導出していない場合、
前記感知信号及び前記発光信号を生成することを特徴とする請求項１６に記載のタッチスクリーンディスプレイ装置の駆動方法。
【発明の詳細な説明】
【技術分野】
【０００１】
本発明は、光センサーが内蔵されたディスプレイ装置で外光条件が適切でない場合にも、タッチを容易に認識できるタッチスクリーンディスプレイ装置及びその駆動方法に関する。
【背景技術】
【０００２】
光センサーをパネルに集積したタッチスクリーンディスプレイ装置は、画面上に投影された指イメージを検出して情報入力を行うものである。または、ライトペンなどの発光物体から照射された光を検出することによって、情報入力を行える。
【０００３】
具体的に、前記タッチスクリーンディスプレイ装置は、外光を利用する、または前記タッチスクリーンディスプレイ装置自体で発光する内光を利用してタッチ位置を導出しうる。しかし、外光が弱い状態でブラックＵＩを表示する場合のように、外光及び内光が弱い場合、光センサーでのセンシングが不能でありうる。または、外光と内光とが類似した場合にも、タッチオブジェクトの像が結ばなくてセンシングが不能でありうる。したがって、前記のように、外光または内光の条件が適切でない場合、タッチ位置が認識できないので、タッチスクリーンディスプレイ装置の使用環境が制約されるという問題がある。
【発明の概要】
【発明が解決しようとする課題】
【０００４】
本発明は、外光及び内光の条件が適切でない場合にも、光センサーを利用してタッチ位置を効果的に認識できるタッチスクリーンディスプレイ装置及びその駆動方法を提供することを目的とする。
【課題を解決するための手段】
【０００５】
前記目的を達成するために、本発明は、画像を具現する発光素子とタッチしたオブジェクトの画像を撮像する光センサーとを備えるパネルと、前記パネル上に配され、前記オブジェクトのタッチを感知するタッチ感知部と、前記タッチ感知部によって前記オブジェクトのタッチが感知される場合、前記発光素子を発光するように制御する発光制御部と、を備えるタッチスクリーンディスプレイ装置を提供する。
【０００６】
本発明に関するタッチスクリーンディスプレイ装置において、前記発光制御部は、前記タッチ感知部から提供されたタッチ感知信号を測定するタッチ測定部と、前記感知信号と既定の基準とを比較してタッチしたか否かを判断するタッチ判断部と、前記タッチ判断部の判断結果、前記オブジェクトがタッチしたものならば、発光信号を生成する発光信号生成部と、を備えうる。
【０００７】
本発明に関するタッチスクリーンディスプレイ装置は、前記オブジェクトの画像からタッチ位置を導出する位置導出部をさらに備えうる。
【０００８】
本発明に関するタッチスクリーンディスプレイ装置は、前記タッチ感知部及び前記発光制御部の動作を制御するフラッシュモード制御部をさらに備えうる。
【０００９】
本発明に関するタッチスクリーンディスプレイ装置は、外部照度を感知する照度感知部と、前記外部照度と既定の基準を比較判断する照度判断部と、をさらに備えうる。
【００１０】
本発明に関するタッチスクリーンディスプレイ装置において、前記照度判断部の判断結果、外部照度が低い場合、前記フラッシュモード制御部は、前記位置導出部から前記タッチ位置が導出されない場合、前記タッチ感知部と前記発光制御部とを動作させうる。
【００１１】
本発明に関するタッチスクリーンディスプレイ装置は、現在前記パネルでディスプレイしている画像の輝度を導出する輝度導出部と、前記画像の輝度と既定の基準とを比較判断する輝度判断部と、をさらに備えうる。
【００１２】
本発明に関するタッチスクリーンディスプレイ装置において、前記輝度判断部の判断結果、前記画像の輝度が前記基準より低い場合、前記フラッシュモード制御部は、前記位置導出部から前記タッチ位置が導出されない場合、前記タッチ感知部と前記発光制御部とを動作させうる。
【００１３】
本発明に関するタッチスクリーンディスプレイ装置は、前記光センサーから外部照度を導出する照度導出部と、前記照度導出部から提供した外部照度と既定の基準とを比較判断する照度判断部と、をさらに備えうる。
【００１４】
本発明に関するタッチスクリーンディスプレイ装置において、前記照度判断部の判断結果、前記外部照度が前記基準より低い場合、前記フラッシュモード制御部は、前記位置導出部から前記タッチ位置が導出されない場合、前記タッチ感知部と前記発光制御部とを動作させうる。
【００１５】
本発明に関するタッチスクリーンディスプレイ装置は、現在前記パネルでディスプレイしている画像の輝度を導出する輝度導出部と、前記画像の輝度と既定の基準とを比較判断する輝度判断部と、をさらに備え、前記輝度判断部の判断結果、前記輝度が前記基準より低い場合、フラッシュモード制御部を動作させうる。
【００１６】
本発明に関するタッチスクリーンディスプレイ装置は、前記オブジェクトの画像からタッチ位置を導出する位置導出部をさらに備え、前記位置導出部から前記タッチ位置が導出されない場合、前記フラッシュモード制御部は、前記タッチ感知部と前記発光制御部とを動作させうる。
【００１７】
本発明に関するタッチスクリーンディスプレイ装置において、前記位置導出部は、前記タッチ画像を獲得するイメージ獲得部と、前記タッチ画像を分析してタッチ位置を計算する位置計算部と、をさらに備えることによって、前記位置導出部から前記タッチ位置が導出されないことは、前記イメージ獲得部で前記タッチ画像を獲得できないか、または前記位置計算部で前記タッチ位置を計算して導出できない場合を含みうる。
【００１８】
また、本発明は、画像を具現する発光素子とタッチしたオブジェクトの画像を撮像する光センサーとを備えるタッチスクリーンディスプレイ装置の駆動方法であって、前記オブジェクトのタッチを感知して感知信号を生成するステップと、前記感知信号に対応する発光信号を生成するステップと、前記発光信号によって前記発光素子を発光させるステップと、を含むタッチスクリーンディスプレイ装置の駆動方法を提供する。
【００１９】
本発明に関するタッチスクリーンディスプレイ装置の駆動方法は、前記感知信号量を既定の基準と比較判断するステップをさらに含み、前記感知信号量が前記基準より多い場合、発光信号を生成しうる。
【００２０】
本発明に関するタッチスクリーンディスプレイ装置の駆動方法は、前記発光素子の発光で前記タッチオブジェクトの画像を獲得するステップと、前記タッチオブジェクトの画像から前記タッチ位置を導出するステップと、をさらに含みうる。
【００２１】
本発明に関するタッチスクリーンディスプレイ装置の駆動方法は、外部照度を感知するステップと、前記外部照度と既定の基準とを比較判断するステップとをさらに含み、前記外部照度が前記基準より低い場合、前記感知信号及び発光信号を生成しうる。
【００２２】
本発明に関するタッチスクリーンディスプレイ装置の駆動方法は、前記パネルでディスプレイしている画像の輝度を導出するステップと、前記輝度と既定の基準とを比較判断するステップと、をさらに含み、前記輝度が前記基準より低い場合、前記感知信号及び発光信号を生成しうる。
【００２３】
本発明に関するタッチスクリーンディスプレイ装置の駆動方法において、前記外部照度は、前記光センサーから測定したものでありうる。
【００２４】
本発明に関するタッチスクリーンディスプレイ装置の駆動方法において、前記位置導出部で前記タッチ位置を導出していない場合、前記感知信号及び前記発光信号を生成しうる。
【発明の効果】
【００２５】
本発明は、外光を利用してタッチ位置がセンシングできない場合にも、内光を利用してタッチ位置を認識することによって、信頼性を向上させたタッチスクリーンディスプレイ装置及びその駆動方法を提供しうる。
【図面の簡単な説明】
【００２６】
【図１】本発明の一実施形態に関するタッチスクリーンディスプレイ装置を説明するための図面である。
【図２】図１に示されたタッチスクリーンディスプレイ装置で、フラッシュモードの実行に関与する構成要素を説明するための図面である。
【図３】図２に示されたタッチスクリーンディスプレイ装置で、発光素子とスイッチング素子とのタイミング図である。
【図４】図１に示されたタッチスクリーンディスプレイ装置を駆動する方法の一実施形態を説明するためのフローチャートである。
【図５】図１に示されたタッチスクリーンディスプレイ装置の駆動を説明するための断面図である。
【図６】外光及び内光が弱い場合、フラッシュモードを実行する本発明のタッチスクリーンディスプレイ装置の一実施形態を説明するための図面である。
【図７】図６に示されたタッチスクリーンディスプレイ装置を駆動する方法の一実施形態を説明するフローチャートである。
【図８】図６に示されたタッチスクリーンディスプレイ装置を駆動する方法の他の実施形態を説明するためのフローチャートである。
【図９】外光及び内光が弱い場合、フラッシュモードを実行する本発明のタッチスクリーンディスプレイ装置の他の実施形態を説明するための図面である。
【図１０】外光と内光とが類似している場合、フラッシュモードを実行する本発明の一実施形態に関するタッチスクリーンディスプレイ装置を説明するための図面である。
【図１１】図１０に示されたタッチスクリーンディスプレイ装置で、外光と内光とが類似している場合を説明するための断面図である。
【図１２】外光と内光とが類似している場合、フラッシュモードを実行する本発明の一実施形態に関するタッチスクリーンディスプレイ装置の駆動方法を説明するフローチャートである。
【図１３】タッチ位置を探せない場合、フラッシュモードを実行する本発明の一実施形態に関するタッチスクリーンディスプレイ装置を説明する図面である。
【図１４】タッチ位置を探せない場合、フラッシュモードを実行する本発明の一実施形態に関するタッチスクリーンディスプレイ装置の駆動方法を説明するためのフローチャートである。
【発明を実施するための形態】
【００２７】
以下、添付された図面を参照して、本発明に関するタッチスクリーンディスプレイ装置及びその駆動方法の例示的な実施形態について詳細に説明する。
【００２８】
図１は、本発明の一実施形態に関するタッチスクリーンディスプレイ装置を説明するための図面である。
【００２９】
本実施形態によるタッチスクリーンディスプレイ装置は、タッチ感知部１００、有機発光表示パネル２００、有機発光表示パネル２００を駆動する駆動部、及び制御部３００を備える。具体的に、タッチ感知部１００は、静電容量方式、減圧方式、抵抗膜方式のうちいずれか一つの方式でタッチを感知できるタッチパネルである。前記タッチ感知部１００は、有機発光表示パネル２００の前面に配され、オブジェクトがタッチしたか否かを感知できる。前記有機発光表示パネル２００の前面に配されるので、タッチ感知部１００は、透光力に優れた透明な素材で形成されることが望ましい。
【００３０】
前記有機発光表示パネル２００は、光センサー部２２０が画素部２１０と一体型に備えられる。前記画素部２１０は、交互に配された第１走査線ＳＬ１及びデータ線ＤＬ、前記第１走査線ＳＬ１及びデータ線ＤＬと連結された画素回路部Ｐ、画素回路部Ｐから提供された電流または電圧によって発光する有機発光素子ＥＬを備える。図面には、それぞれ一つの第１走査線ＳＬ１とデータ線ＤＬ、これらの間に連結された画素回路部Ｐ及び有機発光素子ＥＬを示したが、有機発光表示パネル２００が全体的に並んで配列される複数の第１走査線ＳＬ１と平行に配列される複数のデータＤＬ及びこれらの間に連結された複数の画素回路部Ｐと、前記画素回路部Ｐのそれぞれに連結された有機発光素子ＥＬを備える。
【００３１】
前記第１走査線ＳＬ１は、スキャンドライバから供給された第１制御信号ＣＳ１によって画素回路部Ｐを動作させる。そして、前記第１制御信号ＣＳ１に同期してソースドライバからデータ線ＤＬに表示データが印加される。前記表示データに対応する電流または電圧を画素回路部Ｐで生成し、有機発光素子ＥＬに出力して前記有機発光素子ＥＬを発光させる。複数の有機発光素子ＥＬが前記表示データによって発光することによって、前記有機発光表示パネル２００は、所定画像を表示しうる。
【００３２】
また、前記画素部２１０は、フラッシュモードを行うために、前記有機発光素子ＥＬの発光を制御するスイッチング素子Ｔを備える。前記スイッチング素子Ｔは 、フラッシュモードを行う場合に作動して、駆動電圧ＶＤＤに対応する所定の電流または電圧を有機発光素子ＥＬに供給しうる。したがって、有機発光素子ＥＬが発光しうる。フラッシュモードについては、後でさらに詳細に説明する。
【００３３】
光センサー部２２０は、複数の第２走査線ＳＬ２と出力線ＲＬ及び前記第２走査線ＳＬ２のそれぞれと出力線ＲＬのそれぞれとの間に連結されたセンサー回路部Ｓを備える。センサー回路部Ｓは、光センサーと光センサーを通じて感知された信号を増幅する増幅回路とを備えうる。光センサーは、ＰＩＮ型光ダイオードで構成しうる。
【００３４】
光センサー部２２０は、特定物体、例えば、指を接触した場合、外光または内光による指イメージを解釈することによって、タッチした地点の座標を計算する、または光量を解釈して画像を作り、これからタッチした地点の位置座標を計算する。
【００３５】
前記第２走査線ＳＬ２は、センサー回路部Ｓを動作させる第２制御信号ＣＳ２を伝送し、前記第２制御信号ＣＳ２は、センサースキャナから供給される。前記出力線ＲＬは、センサー回路部Ｓでセンシングした信号をＲＯＩＣ(Ｒｅａｄ Ｏｕｔ ＩＣ)に出力する。ＲＯＩＣから制御部３００に前記信号を伝送して、制御部３００でタッチ位置を計算しうる。
【００３６】
本実施形態によるタッチスクリーンディスプレイ装置は、制御部３００を備える。具体的に、制御部３００は、発光制御部３１０、表示データ制御部３２０、第１制御信号制御部３３０、第２制御信号制御部３４０及び位置導出部３５０を備えうる。
【００３７】
発光制御部３１０は、タッチ感知部１００からタッチ感知信号を伝送され、前記有機発光表示パネル２００のスイッチング素子Ｔを動作する発光信号Ｓｉｇを出力する。前記発光信号Ｓｉｇによって有機発光素子ＥＬが発光する。外光及び内光の条件が適切でない場合、前記タッチ感知部１００によってタッチを感知し、前記感知に同期してスイッチング素子Ｔが動作する。したがって、前記スイッチング素子Ｔの一端子に連結された駆動電圧ＶＤＤ源から前記駆動電圧に対応する電流または電圧を有機発光素子ＥＬに供給して有機発光素子ＥＬを発光させる。したがって、内光を強制的に発生させて光センサー部２２０でセンシングを行わせる。
【００３８】
発光制御部３１０の実施形態であって、図２を共に参照してさらに具体的に説明する。発光制御部３１０は、タッチ測定部３１１、タッチ判断部３１２、発光信号生成部３１３を備えうる。
【００３９】
タッチ測定部３１１は、タッチ感知部１００に提供されたタッチ感知信号を測定する。例えば、静電容量方式のタッチ感知部１００は、導電性オブジェクトのタッチで静電容量の変化を感知し、タッチ測定部３１１で前記静電容量の変化量を測定しうる。そして、タッチ判断部３１２で前記静電容量の変化量が所定の基準以上であるか否かを判断しうる。すなわち、前記オブジェクトの入力方法としてタッチを行ったか否かを判断する。判断結果、前記静電容量の変化量が前記基準以上ならば、発光信号生成部３１３で発光信号Ｓｉｇを生成し、前記発光信号Ｓｉｇは、有機発光表示パネル２００のスイッチング素子Ｔを動作させて有機発光素子ＥＬを発光させる。
【００４０】
前記スイッチング素子Ｔに印加される発光信号Ｓｉｇと有機発光素子ＥＬの動作信号とを図３のようなタイミング図で表示しうる。
【００４１】
図３を共に参照すれば、まず、(ａ)期間にタッチ感知部１００によってタッチが感知され、発光制御部３１０でローレベルの発光信号Ｓｉｇを生成する。したがって、有機発光素子ＥＬでちょっと発光する。そして、(ｂ)期間に発光制御部３１０でハイレベルの発光信号Ｓｉｇを生成して、有機発光素子ＥＬの発光を止める。このとき、タッチ位置を判断し、前記タッチ位置に該当する入力情報を判断しうる。以後、(ｃ)期間に表示データによるローレベルの発光信号ｅｍによって有機発光素子ＥＬが発光する。前記表示データは、前記入力情報によるものである。
【００４２】
このとき、有機発光素子ＥＬの発光は、所定の画像を具現するための発光ではなく、光センサー部２２０でセンシングを効果的に行うための発光である。例えば、外光及び内光の条件が十分でない場合、前記発光信号Ｓｉｇを生成して、有機発光素子ＥＬを所定時間発光させる。有機発光素子ＥＬは、光センサー部２２０でセンサーに必要な光量を生成する期間に発光することが望ましい。
【００４３】
再び図１を参照すれば、表示データ制御部３２０と第１制御信号制御部３３０とは、複数の画素を発光して所定の画像を表示するように制御する信号を出力する。表示データ制御部３２０は、ソースドライバで表示データ(Ｒ、Ｇ、Ｂ)を伝送する。ソースドライバは，表示データ(Ｒ、Ｇ、Ｂ)に対応する所定の信号を複数のデータ線ＤＬに伝送する。第１制御信号制御部３３０は、スキャンドライバに第１制御信号ＣＳ１を伝送する。前記スキャンドライバは、前記第１制御信号ＣＳ１によって複数の第１走査線ＳＬ１に順次に走査信号を伝送する。
【００４４】
第２制御信号制御部３３０と位置導出部３５０とは、光センサー部２２０に関する制御部である。前記第２制御信号部３３０は、センサースキャナに第２制御信号を伝送する。センサースキャナは、前記第２制御信号によって複数の第２走査線ＳＬ２に走査信号を順次に印加する。位置導出部３５０は、光センサー部２２０でセンシングした信号を入力され、前記信号を利用してタッチ位置を計算する。位置導出部３５０は、前記信号をＲＯＩＣを通じて入力される。
【００４５】
前述したタッチスクリーンディスプレイ装置を駆動する方法の一実施形態を図４の順序図を参照して説明する。
【００４６】
図４を参照すれば、フラッシュモードを実行する(Ｓ１１)。
【００４７】
光センサー部２１０ではないタッチ感知部１００を通じて特定オブジェクトのタッチが感知されたか否かを判断する(Ｓ１２)。タッチが感知されなければ、終了する。
【００４８】
オブジェクトのタッチが感知されれば、タッチによるタッチ情報変化量を測定する(Ｓ１３)。例えば、静電容量方式の場合、キャパシタンスの変化量、誘電率変化量、ギャップ変化量を、抵抗膜方式の場合、抵抗変化量を測定しうる。
【００４９】
前記情報変化量が基準以上であるか否かを判断する(Ｓ１４)。前記基準は、経験則に基づいて予め保存された値でありうる。前記情報変化量が基準未満ならば、入力手段としてタッチではないので、終了する。
【００５０】
基準以上ならば、発光信号を生成する(Ｓ１５)。前記発光信号は、有機発光素子ＥＬの発光を制御するスイッチング素子Ｔを動作させる。
【００５１】
したがって、有機発光素子ＥＬが発光する(Ｓ１６)。前記有機発光素子ＥＬは、表示データによって所定の画像を形成するように発光するものであるが、Ｓ１６では、前記表示データによって発光するものではなく、タッチ感知部１００によるタッチ情報によって発光するものである。Ｓ１６では、光センサー部２２０のセンシング動作のための前処理段階であって、前記タッチ情報に基づいて前記有機発光素子ＥＬが発光する。
【００５２】
前記有機発光素子ＥＬの発光を利用して光センサーでタッチオブジェクトのイメージを獲得する(Ｓ１７)。そして、前記イメージを分析してタッチ位置を導出する(Ｓ１８)。
【００５３】
有機発光素子ＥＬを発光して光センサーＳにセンシングするステップ(Ｓ１７)を、図５を参照して具体的に説明する。図５によれば、有機発光表示パネル２００上にタッチ感知部１００が配され、前記有機発光表示パネル２００は、上部層に複数の有機発光素子ＥＬが装着され、前記有機発光素子ＥＬの間に光センサーＳ１〜Ｓ５が集積されている。タッチオブジェクトによってタッチが感知されれば、有機発光素子ＥＬを発光させる。したがって、外光が弱い場合、または/及び表示しようとする画像による光量、すなわち、内光が弱い場合、強制的に前記有機発光素子ＥＬを発光させる。そして、強制的に発光させた内光が前記オブジェクトによって反射され、反射光を第３光センサーＳ３と第４光センサーＳ４とで受光して、前記オブジェクトのイメージを撮像しうる。前記イメージは、白黒でありうる。
【００５４】
そして、前記イメージを分析してタッチ位置を認識しうる。
【００５５】
以下では、前記フラッシュモードを行う条件によって、本発明に関するタッチスクリーンディスプレイ装置及びその駆動方法の多様な実施形態を説明する。
【００５６】
図６ないし図９では、外光及び内光が弱い場合、フラッシュモードを実行する本発明のタッチスクリーンディスプレイ装置の実施形態を説明する。以下では、同じ符号及び同じ名称については、図１で説明した通りであるので、必要に応じて詳細な説明を省略する。
【００５７】
外光及び内光が弱い場合、フラッシュモードを実行する本発明に関するタッチスクリーンディスプレイ装置及びその駆動方法の一実施形態を図６及び図７を参照して説明する。
【００５８】
まず、図６によるタッチスクリーンディスプレイ装置は、別の照度感知部３６１を備え、前記照度感知部３６１によって感知された照度によってフラッシュモードを制御する。
【００５９】
具体的に、前記タッチスクリーンディスプレイ装置は、タッチ感知部１００、所定の画像を表示する画素部とタッチオブジェクトのイメージを撮像する光センサー部とを備えるパネル２００、前記パネル２００の画素部を駆動するソースドライバ、スキャンドライバ、前記パネルの光センサー部を駆動するセンサースキャナ、ＲＯＩＣを備える。
【００６０】
図７を共に参照して説明すれば、前記照度感知部３６１は、外光の光量、すなわち、照度を感知する(Ｓ２１)。そして、照度判断部３６３で感知した前記照度が第１基準以上であるか否かを判断する(Ｓ２２)。照度が第１基準以上ならば、外光条件が光センサー部でセンシングが可能な条件であるので、フラッシュモードを行う必要がない。すなわち、外光を利用して光センサーでセンシングを行える(Ｓ２３)。したがって、タッチオブジェクトのイメージを獲得して、タッチ位置を導出しうる。
【００６１】
前記照度が前記第１基準未満ならば、表示データの輝度を導出する(Ｓ２４)。輝度導出部３７１で前記表示データは、表示データ制御部３２０から導出しうる。前記表示データは、ＵＩ(Ｕｓｅｒ Ｉｎｔｅｒｆａｃｅ)を含む現在画像を具現するものであって、前記表示データによる輝度からパネル２００で発光する光量、すなわち、内光の量を判断しうる。
【００６２】
輝度判断部３７３で前記輝度が第２基準以上であるか否かを判断する(Ｓ２５)。輝度判断部３７３で前記画像の輝度が前記第２基準以上であると判断すれば、前記表示データによって有機発光素子で発光する内光を利用して光センサーでセンシングを行える(Ｓ２６)。
【００６３】
しかし、前記照度判断部３６３及び輝度判断部３７３で照度が第１基準未満であり、輝度が第２基準未満である場合、外光及び内光が弱い場合であって、光センサーでセンシングのための光量が足りない場合である。したがって、前記照度判断部３６３及び輝度判断部３７３で照度が第１基準未満であり、輝度が第２基準未満である場合に関する情報をフラッシュモード制御部３８０に伝達し、前記情報によってタッチ感知部１００と発光制御部３１０とを動作させる。したがって、タッチ感知部１００でオブジェクトがタッチされたか否かを感知して、前記タッチされたか否かに関する情報を発光制御部３１０に伝送し、前記タッチされたか否かに関する情報に基づいて、発光制御部３１０でパネル２００をちょっと発光させる。具体的に、有機発光素子ＥＬを発光させる。前記発光によって光センサーでタッチオブジェクトのイメージを獲得し、前記イメージを分析してタッチ位置を判断しうる。すなわち、フラッシュモードを実行する(Ｓ２７)。
【００６４】
前記タッチスクリーンディスプレイ装置の駆動方法の他の実施形態として、図８を参照して説明する。
【００６５】
前記図７を参照して説明したタッチスクリーンディスプレイ装置の駆動方法で、照度が第１基準未満であり、輝度が第２基準未満であると判断された場合(Ｓ３１)、特殊ＵＩを使用できるか否かを判断する(Ｓ３２)。ここで、特殊ＵＩは、例えば、ボタンまたは約束された明点または暗点でありうる。
【００６６】
特殊ＵＩを使用できるならば、特殊ＵＩを使用する(Ｓ３３)。そして、特殊ＵＩを入力手段として使用する。
【００６７】
特殊ＵＩを使用できないならば、前記表示データの輝度レベルを上昇させうるか否かを判断する(Ｓ３４)。現在具現する画像の表示データの輝度レベルを上昇させて明るい画像を表示できるか否かを判断する。光センサーによってセンシングできる光量を生成するように、明るい画像を表示するように輝度レベルを上昇させうるか否かを判断する。
【００６８】
輝度レベルを上昇させうるならば、前記表示データの輝度レベルを上昇させる(Ｓ３５)。したがって、輝度レベルが上昇した表示データによって具現される画像を内光として利用して光センサーでタッチオブジェクトのイメージを撮像しうる。したがって、前記オブジェクトのタッチ位置を判断しうる。
【００６９】
輝度レベルを上昇できない場合、フラッシュモードを実行する(Ｓ３６)。したがって、タッチ感知部によってタッチされたか否かを感知し、タッチ感知情報によってパネルに装着された有機発光素子を強制的に発光させ、前記有機発光素子の発光による内光を利用してタッチ位置を判断しうる。
【００７０】
図９は、内光及び外光が弱い場合、フラッシュモードを実行するタッチスクリーンディスプレイ装置の他の実施形態を示した図面である。図９は、別の照度感知部３６１を備えなくても、パネル２００の光センサーを利用して照度を感知するタッチスクリーンディスプレイ装置を例示する。
【００７１】
図９を参照すれば、パネル２００に装着された光センサーを利用して外光を感知し、前記光センサーから感知した外光の感知信号をＲＯＩＣから読み取る。そして、ＲＯＩＣから前記感知信号を照度導出部３６２に伝達する。前記照度導出部３６２は、前記感知信号から照度を導出し、照度判断部３６３で前記照度が第２基準以上であるか否かを判断する。照度感知部３６１を備えず、光センサー部から照度を感知して照度導出部３６２で照度を導出することを除いては、照度判断、輝度導出及び判断は、図６と同様である。また、図９に示されたタッチスクリーンディスプレイ装置も、図７及び図９に示されたタッチスクリーンディスプレイ装置の駆動方法を適用しうる。
【００７２】
図１０ないし図１２では、外光及び内光が類似している場合、フラッシュモードを実行する本発明のタッチスクリーンディスプレイ装置の他の実施形態を説明する。
【００７３】
図１０を参照すれば、照度感知部３６１と輝度導出部３７１とを備え、前記照度感知部３６１と輝度導出部３７１とのそれぞれから提供された照度及び輝度を比較判断する比較判断部３７５を備える。照度及び輝度が類似している場合、光センサーでタッチオブジェクトのイメージ像が結ばないので、前記イメージが得られない。具体的に、図１１を参照すれば、外光ａが一部光センサーＳ１,Ｓ２,Ｓ５に入力され、内光ｂの反射光ｃが残りの光センサーＳ３,Ｓ４に入力されて、タッチオブジェクトのイメージ像が結ばない場合がある。内光量と内光の反射光量とがほぼ同一であるという前提下に、前記外光量及び内光量の反射光量が類似している場合ならば、このような場合が発生しうる。したがって、有機発光素子ＥＬを強制的に発光させて前記内光ｂによる反射光量をさらに豊富にすることによって、タッチ位置を判断しうる。または、有機発光素子ＥＬの発光を強制的に臨時制止して、外光ａを利用してタッチ位置を判断せしめることもできる。
【００７４】
したがって、外光量と内光量または内光の反射光量が類似している場合を判断するために、比較判断部３７５で照度及び輝度が類似しているか否かを判断する。類似している程度は、経験則に基づいて予め定めうる。
【００７５】
または、照度導出部３６２を備えて、ＲＯＩＣから前記照度導出部３６２で照度を導出し、輝度導出部３７１で輝度を導出して、比較判断部３７５で照度及び輝度を比較判断しうる。
【００７６】
以下では、図１０に示されたタッチスクリーンディスプレイ装置の駆動方法の一実施形態を図１２を参照して説明する。
【００７７】
図１２を参照すれば、照度を感知し(Ｓ４１)、表示データから輝度を導出する(Ｓ４２)。照度感知（Ｓ４１)及び輝度導出(Ｓ４２)ステップは、その順序が変わってもよい。
【００７８】
前記照度及び輝度が類似しているか否かを判断する(Ｓ４３)。照度に対応する外光と輝度に対応する内光とが類似しているか否かを判断する。ここで、類似しているとは、外光＝内光＋ａである場合であって、経験則に基づいて、タッチオブジェクトの像が結ばない所定範囲に定められたことである。
【００７９】
照度と輝度とが類似している場合、フラッシュモードを実行し(Ｓ４４)、照度と輝度とが類似していない場合、光センサーでタッチオブジェクトのイメージを獲得してタッチ位置を判断する(Ｓ４５)。
【００８０】
それと共に、以下では、タッチ位置検索が失敗すれば、フラッシュモードを実行する本発明のタッチスクリーンディスプレイ装置のさらに他の実施形態を図１３と図１４とを参照して説明する。
【００８１】
図１３によれば、ＲＯＩＣを通じて光センサーでセンシングした信号を読み取り、位置判断部３５０で前記信号に基づいてタッチ位置を判断しうる。さらに具体的に、イメージ獲得部３５１で前記信号に基づいてタッチオブジェクトのイメージを獲得でき、位置計算部３５３で前記イメージを分析して位置を計算及び導出しうる。このとき、前記イメージ獲得部３５１で前記イメージを獲得できないか、または位置計算部３５３で前記タッチ位置を計算または導出できない場合、フラッシュモード制御部３８０を作動させる。したがって、フラッシュモード制御部３８０は、タッチ感知部１００と発光制御部３１０とを動作させる。タッチ感知部１００でタッチされたか否かを感知し、タッチが感知されれば、発光制御部３１０でパネル２００を強制的にちょっと発光させる。
【００８２】
図１４を共に参照すれば、光センサーでタッチオブジェクトのイメージを獲得したか否かを判断する(Ｓ５１)。
【００８３】
タッチオブジェクトのイメージを獲得したならば、前記イメージを分析してタッチ位置を導出するか否かを判断する(Ｓ５２)。タッチ位置を導出したならば、タッチによって入力された情報によって駆動する。
【００８４】
タッチオブジェクトのイメージを獲得できなければ、フラッシュモードを実行する(Ｓ５３)。または、前記イメージを分析してタッチ位置を導出できなければ、フラッシュモードを実行する(Ｓ５４)。
【００８５】
前記実施形態をそれぞれ別に分離して説明したが、これらのうち少なくとも２つの判断を含みうる。例えば、照度及び輝度がそれぞれ基準以上であるか否かを判断して、そうであるならば、前記照度と輝度とが類似しているかさらに判断しうる。したがって、照度と輝度とが類似している場合、フラッシュモードを実行しうる。または、照度及び輝度のそれぞれが基準以上であるか否かを判断して、そうであるならば、光センサーを利用してタッチ位置を判断し、このとき、タッチ位置を導出できなければ、フラッシュモードを実行しうる。
【００８６】
前述したように、本発明によれば、本発明は、内光及び/または外光の条件が光センサーを利用してタッチオブジェクトのイメージを獲得するのに適切でない場合、パネルを強制的にちょっと発光させて、光センサーを利用したタッチ位置判断を可能にしうる。したがって、光センサーを集積したタッチスクリーンディスプレイ装置の使用範囲を拡大しうる。
【００８７】
本発明の実施例は、添付された図面を参照して説明されたが、それは、例示的なものに過ぎず、当業者ならば、これから多様な変形及び均等な他の実施形態が可能であるということが分かるであろう。したがって、本発明の真の保護範囲は、特許請求の範囲の技術的思想によって決定されねばならない。
【産業上の利用可能性】
【００８８】
本発明は、ディスプレイ関連の技術分野に好適に適用可能である。
【符号の説明】
【００８９】
１００  タッチ感知部
２００  有機発光表示パネル
２１０  画素部
２２０  光センサー部
３００  制御部
３１０  発光制御部
３２０  表示データ制御部
３３０  第１制御信号制御部
３４０  第２制御信号制御部
３５０  位置導出部
【図１】
2010097618.tif 000003
【図２】
2010097618.tif 000004
【図３】
2010097618.tif 000005
【図４】
2010097618.tif 000006
【図５】
2010097618.tif 000007
【図６】
2010097618.tif 000008
【図７】
2010097618.tif 000009
【図８】
2010097618.tif 000010
【図９】
2010097618.tif 000011
【図１０】
2010097618.tif 000012
【図１１】
2010097618.tif 000013
【図１２】
2010097618.tif 000014
【図１３】
2010097618.tif 000015
【図１４】
2010097618.tif 000016